(57)【要約】【課題】吸収パッドを装着する場合の位置決め操作をスムースに行うことができ、吸収パッドの併用による効果が十分に得られる吸収性物品を提供すること。【解決手段】前身頃１Ｆ及び後身頃１Ｒの少なくとも一方における着用者の胴周りに対応する部位１Ａ，１Ｃに、横方向Ｙに伸長状態で配された複数の弾性部材３５が縦方向Ｘに間欠的に配されており、それら複数の弾性部材３５は、白色の弾性部材３５０と、少なくとも１種類の非白色の弾性部材３５１とを含んでいる。非白色の弾性部材３５１が、吸収性本体２と縦方向Ｘにおいて重なる位置に配され且つ吸収性本体２の縦方向両側縁２Ｓ，２Ｓから横方向Ｙの外方に延出し、その非白色の弾性部材３５１の延出部が肌対向面側から目視可能になされている。【選択図】図１
2020093177.tif 000002
【特許請求の範囲】
【請求項１】
排泄された体液を吸収保持可能な吸収体を具備する吸収性本体を備え、着用者の前後方向に対応する縦方向とこれに直交する横方向とを有する吸収性物品であって、
前身頃及び後身頃の少なくとも一方における着用者の胴周りに対応する部位に、横方向に伸長状態で配された複数の弾性部材が縦方向に間欠的に配されており、それら複数の弾性部材は、白色の弾性部材と、少なくとも１種類の非白色の弾性部材とを含んでおり、
前記非白色の弾性部材が、前記吸収性本体の縦方向の外方位置に配されずに、該吸収性本体と縦方向において重なる位置に配され且つ該吸収性本体の縦方向両側縁から横方向外方に延出し、その非白色の弾性部材の延出部が肌対向面側から目視可能になされており、
前記非白色の弾性部材は、前記吸収性本体の縦方向両側縁よりも横方向外方位置では、弾性伸縮性が発現される状態で配され、平面視において該吸収性本体と重なる位置では、弾性伸縮性が発現される状態で配されていない、吸収性物品。
【請求項２】
前身頃又は後身頃において、前記非白色の弾性部材が複数配され、複数の該非白色の弾性部材は互いに色の異なる２種類以上である、請求項１に記載の吸収性物品。
【請求項３】
前記非白色の弾性部材は、前記前身頃のみに配されている、請求項１又は２に記載の吸収性物品。
【請求項４】
前記非白色の弾性部材は、前記後身頃のみに配されている、請求項１又は２に記載の吸収性物品。
【請求項５】
前身頃及び後身頃の両方に前記非白色の弾性部材が配され、前身頃と後身頃とで、該非白色の弾性部材の色が異なる、請求項１又は２に記載の吸収性物品。
【請求項６】
前身頃及び後身頃の両方に前記非白色の弾性部材が配され、少なくとも前身頃において、該非白色の弾性部材が前記吸収性本体の縦方向端と同位置に配されている、請求項１、２又は５に記載の吸収性物品。
【請求項７】
前記非白色の弾性部材は、前記白色の弾性部材に比して太い、請求項１〜６の何れか一項に記載の吸収性物品。
【発明の詳細な説明】
【技術分野】
【０００１】
本発明は、使い捨ておむつ等の吸収性物品に関し、特に、別体の吸収パッドを装着して使用可能な吸収性物品に関する。
【背景技術】
【０００２】
従来、尿等の排泄物の処理に伴う経済的、労力的な負担の軽減を目的として、吸収パッドを、使い捨ておむつ等の吸収性物品の肌対向面に重ねて使用することが行われている。例えば、吸収パッドの一種である尿取りパッドは、身体機能が衰えた成人や疾患により衰弱した成人（多くは高齢者）等が着用する使い捨ておむつの表面シートの上に固定され、失禁した尿を吸収保持させるのに使用されるところ、排泄される尿の量が比較的少量の場合には、尿取りパッドのみを交換するだけで済み、使い捨ておむつの交換頻度を減らすことができる。
【０００３】
吸収パッドは、吸収性物品における所定の適切な位置に装着して初めてその本来の性能が発揮されるものであるから、吸収パッドの吸収性物品への装着時には位置決め操作が重要になる。しかしながら、斯かる位置決め操作においては、吸収パッドの装着位置に使用者独自の好みがあることなどもあって、一度の操作では装着位置が決まらず、吸収パッドの吸収性物品への着脱を何度も繰り返すことが少なくない。ところが、吸収パッドの吸収性物品への装着は、吸収パッドの非肌対抗面側に取り付けられた粘着テープやフック材を吸収性物品における不織布などからなる表面シート部分に係合させることによってなされる場合が多いため、吸収パッドの着脱を何度も繰り返すと、吸収性物品が物理的なダメージを受け、吸収パッドの装着が不可能になる等の不都合が生じるおそれがある。
【０００４】
そこで、吸収パッドの位置決め操作をスムースに行うための改良技術が種々提案されている。例えば特許文献１には、肌対向面を形成する表面シート、非肌対向面を形成する裏面シート、及び両シート間に介在配置された吸収体を具備し、着用者の前後方向に対応する縦方向に沿って腹側部、股下部及び背側部を有する吸収性物品において、腹側部及び背側部の少なくとも一方における表面シートに、吸収パッドの装着位置を示す目視可能な一対の色目印部を、横方向の中心線に対して対称位置に配置することが記載されている。この色目印部は、互いに大きさの異なる複数種の吸収パッドの端縁部に対応してそれぞれ異なる色で複数配設されてなるもので、これにより、対応する吸収パッドの種類を色によって容易に識別できると共に、大きさの異なる吸収パッドの角部を、対応する一対の色目印部に合わせるだけで容易に装着位置に位置合わせできるとされている。また特許文献２には、吸収パッドが装着される吸収性物品ではなく、吸収パッド自体に、具体的には、吸収パッドにおける吸収性物品の肌対向面との対向面を形成する外装シートに、前後表記を直接印刷することが記載されている。
【０００５】
また、吸収パッドの位置決めとは別の目的で、吸収性物品に各種の情報を目視可能に表示することが従来行われている。例えば特許文献３には、複数種類のパンツ型使い捨ておむつが重ねて保管されている場合に、その中から特定のおむつを選択して取り出す操作を容易にする目的で、おむつにおける吸収性本体に、腹側部と背側部とを重ねるように複数のおむつを重ねた場合に各おむつの側方位置から確認可能となるように、当該おむつのサイズや前後方向等の識別情報を表示する表示部を形成することが記載されており、実施形態として、腹側部と背側部との間に位置する股下部を構成するシートを折り返し、その折り返し部の外面に該表示部が形成された形態が示されている。
【先行技術文献】
【特許文献】
【０００６】
【特許文献１】特開２００７−２２９１９９号公報
【特許文献２】特開２００２−２９１７８６号公報
【特許文献３】特開２００５−７４１５７号公報
【発明の概要】
【発明が解決しようとする課題】
【０００７】
例えば、パンツ型使い捨ておむつの着用者が自ら吸収パッドを装着する場合には、該おむつのレッグ開口部に両足を挿入して該おむつを膝の高さ程度まで引き上げておき、その引き上げ途中状態の該おむつの内面（肌対向面）を、該おむつのウエスト開口部を介して目視で確認しつつ、該内面に対して吸収パッドの位置決めを行うことが多いところ、おむつの前後の判別が容易で、斯かる位置決め操作をスムースに行い得る技術は未だ提供されていない。
【０００８】
従って本発明の課題は、吸収パッドを装着する場合の位置決め操作をスムースに行うことができ、吸収パッドの併用による効果が十分に得られる吸収性物品を提供することに関する。
【課題を解決するための手段】
【０００９】
本発明は、排泄された体液を吸収保持可能な吸収体を具備する吸収性本体を備え、着用者の前後方向に対応する縦方向とこれに直交する横方向とを有する吸収性物品であって、
前身頃及び後身頃の少なくとも一方における着用者の胴周りに対応する部位に、横方向に伸長状態で配された複数の弾性部材が縦方向に間欠的に配されており、それら複数の弾性部材は、白色の弾性部材と、少なくとも１種類の非白色の弾性部材とを含んでおり、前記非白色の弾性部材が、前記吸収性本体と縦方向において重なる位置に配され且つ該吸収性本体の縦方向両側縁から横方向外方に延出し、その非白色の弾性部材の延出部が肌対向面側から目視可能になされている吸収性物品である。
【発明の効果】
【００１０】
本発明によれば、吸収パッドを装着する場合の位置決め操作をスムースに行うことができ、吸収パッドの位置ズレに起因する着用中の違和感や漏れなどの不都合を起こさずに、吸収パッドの併用による効果が十分に得られる吸収性物品が提供される。
【図面の簡単な説明】
【００１１】
【図１】図１は、本発明の吸収性物品の一実施形態であるパンツ型使い捨ておむつの一例を模式的に示す斜視図である。
【図２】図２は、図１に示すおむつの展開且つ伸長状態における肌対向面側（内面側）を模式的に示す展開平面図である。
【図３】図３は、図１に示すおむつを分解して模式的に示す分解斜視図である。
【発明を実施するための形態】
【００１２】
以下本発明を、その好ましい実施形態に基づき図面を参照しながら説明する。図１〜図３には、本発明の吸収性物品の一実施形態であるパンツ型使い捨ておむつ１が示されている。おむつ１は、排泄された体液を吸収保持可能な吸収体２３を具備する吸収性本体２と、該吸収性本体２の非肌対向面側に配されて該吸収性本体２を固定している外装体３とを備え、着用者の前後方向に相当する縦方向Ｘとこれに直交する横方向Ｙとを有している。
【００１３】
本明細書において、「肌対向面」は、吸収性物品又はその構成部材（例えば吸収性本体）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。尚、ここでいう「着用時」は、通常の適正な着用位置、即ち当該吸収性物品の正しい着用位置が維持された状態を意味し、吸収性物品が該着用位置からずれた状態にある場合は含まない。
【００１４】
おむつ１においては、前身頃１Ｆ及び後身頃１Ｒそれぞれにおける外装体３の縦方向Ｘに沿う両側縁部ＦＳ，ＲＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。図２に示すように、前身頃１Ｆは、おむつ１又は外装体３を縦方向Ｘに二分して横方向Ｙに延びる縦中心線ＣＬｘを基準として、着用時に着用者の身体の前側（腹側）を覆う部分であり、後身頃１Ｒは、着用者の身体の後側（背側）を覆う部分である。
【００１５】
おむつ１は、着用時に着用者の腹側に配される腹側部１Ａ、背側に配される背側部１Ｃ、及びそれらの間に位置して着用者股間部に配される股下部１Ｂを有している。おむつ１の縦方向Ｘは、前身頃１Ｆと後身頃１Ｒとの間を延びる方向、即ち、腹側部１Ａと背側部１Ｃとの間を股下部１Ｂを介して延びる方向であり、吸収性本体２の長手方向に一致する。腹側部１Ａは前身頃１Ｆの一部であり、背側部１Ｃは後身頃１Ｒの一部であり、股下部１Ｂは前身頃１Ｆと後身頃１Ｒとに跨って存している。腹側部１Ａ及び背側部１Ｃは、何れも縦方向Ｘにおいてサイドシール部Ｓと同位置にある部分であり、おむつ１の着用時に着用者の胴周りに対応する胴周り部である。股下部１Ｂは、外装体３の縦方向Ｘに沿う両側縁部にレッグ開口部ＬＨ，ＬＨ形成用の凹欠部が形成されている領域である。股下部１Ｂは、おむつ１の着用時に着用者の排泄部に対向配置される排泄部対向部を有しており、該排泄部対向部は通常、おむつ１の縦方向Ｘの中央部（縦中心線ＣＬｘ上）又はその近傍に位置している。
【００１６】
吸収性本体２は、図２に輪郭線で示したように平面視長方形形状をなし、その長手方向を展開且つ伸長状態におけるおむつ１の縦方向Ｘに一致させて、外装体３の横方向Ｙの中央部に配置され、接着剤により外装体３に接合されている。外装体３は、図２に示す如き展開且つ伸長状態のおむつ１の外形を形作っており、外装体３の周縁は、その状態のおむつ１の輪郭線を形成している。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１７】
吸収性本体２は、図２に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収体２３は、平面視長方形形状をなし、吸収性本体２の外形を形作っている。表面シート２１、裏面シート２２及び吸収体２３としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３としては、パルプ繊維等の繊維材料の集合体又は吸水性ポリマー粒子を含んで構成される吸収性コアを有するものを用いることができ、該吸収性コアはその外面が液透過性のコアラップシートで被覆されていても良い。
【００１８】
図２に示すように、吸収性本体２の肌対向面における縦方向Ｘに沿う左右両側部には、液抵抗性又は撥水性で且つ通気性のシート材から構成された一対の防漏カフ２４，２４が設けられている。各防漏カフ２４の自由端部の近傍には糸状の防漏カフ形成用弾性部材２５が１本以上伸長状態で配されている。防漏カフ２６は、伸長状態で配された弾性部材２５がおむつ１の着用時に収縮することによって少なくとも股下部１Ｂで起立し、それによって尿等の排泄液の横方向Ｙの外方への流出を阻止する。
【００１９】
外装体３は、図２に示すように、前身頃１Ｆの胴周り部である腹側部１Ａ、及び後身頃１Ｒの胴周り部である背側部１Ｃ、腹側部１Ａと背側部１Ｃとに挟まれた股下部１Ｂにわたって配されており、その縦方向Ｘに沿う両側縁が股下部１Ｂにおいて内向きの円弧状に湾曲して一対のレッグ縁部ＬＳ，ＬＳを形成しており、図２に示す如き平面視において、縦方向Ｘの中央域が横方向Ｙの内方に向けて括れた砂時計状の形状を有している。
【００２０】
外装体３は、図３に示すように、外層シート３１と内層シート３２との積層体を含んで構成されている。おむつ１の着用状態において、外層シート３１は着用者の身体から遠い側に位置して、おむつ１の非肌対向面（外面）を形成し、内層シート３２は、着用者の身体に近い側に位置して、おむつ１の肌対向面（内面）を形成する。外層シート３１と内層シート３２との間は、所定の部位において接着剤によって接合されている。外層シート３１は、内層シート３２と同形状・同寸法の部分に加えて更に、両シート３１，３２を積層した際に内層シート３２の腹側部Ａ側の縦方向Ｘの端部から外方に延出する腹側延出部３１ＡＥと、内層シート３２の背側部Ｃ側の縦方向Ｘの端部から外方に延出する背側延出部３１ＣＥとを有している。外層シート３１の両延出部３１ＡＥ，３１ＣＥは、それぞれ、図２に示すように、内層シート３２上に配置固定された吸収性本体２の縦方向Ｘの両端部を覆うように、内層シート３２側に折り返され、接着剤によって、両延出部３１ＡＥ，３１ＣＥと対向するおむつ１の他の構成部材に固定されている。外層シート３１及び内層シート３２としては、それぞれ、この種の吸収性物品において外装体として従来用いられている各種のものを特に制限なく用いることができ、例えば、スパンボンド不織布、エアスルー不織布、ニードルパンチ不織布等の各種製法による不織布が挙げられる。
【００２１】
図１〜図３に示すように、一対のレッグ開口部ＬＨ，ＬＨそれぞれの開口縁部を形成するレッグ縁部ＬＳには、糸状又は帯状の１本又は複数本のレッグギャザー形成用のレッグ弾性部材３３が伸長状態で配されており、これによって一対のレッグ開口部ＬＨ，ＬＨそれぞれの開口縁部には、その全周にわたって実質的に連続した環状のレッグギャザーが形成される。本実施形態においては、レッグ弾性部材３３は図２及び図３に示すように、外装体３における吸収性本体２の縦方向Ｘに沿う両側縁２Ｓ，２Ｓよりも横方向Ｙの外方に位置する部位及び、外装体３における吸収性本体２の配置領域（平面視において吸収性本体２と重なる領域）に配されている。ただし、外装体３における吸収性本体２の配置領域（平面視において吸収性本体２と重なる領域）においては、レッグ弾性部材３３は分断されるなどして伸縮性が阻害されており、弾性伸縮性が発現される状態では配されていない。
【００２２】
また、前身頃１Ｆ及び後身頃１Ｒの少なくとも一方における着用者の胴周りに対応する部位には、横方向Ｙに伸長状態で配された複数の弾性部材３４，３５が縦方向Ｘに間欠的に配されている。本実施形態においては、図１〜図３に示すように、前身頃１Ｆの胴周りに対応する部位である腹側部１Ａ及び後身頃１Ｒの胴周りに対応する部位である背側部１Ｃの両方に、糸状又は帯状の弾性部材３４，３５が横方向Ｙに伸長状態で複数本配され、それら複数本の弾性部材３４，３５は縦方向Ｘに所定間隔を置いて間欠配置されている。
【００２３】
おむつ１における着用者の胴周りに対応する部位についてさらに説明すると、腹側部Ａ及び背側部Ｃそれぞれにおけるウエスト部Ｗ１には、複数本のウエストギャザー形成用のウエスト弾性部材３４が横方向Ｙに伸長状態で配されている。ウエスト弾性部材３４は、ウエスト部Ｗ１の横方向Ｙの略全長に亘って延びている。ウエスト部Ｗ１は、外装体３における着用者の腰周りに位置する部位であり、通常、外装体３における腹側部Ａ側又は背側部Ｃ側の縦方向Ｘの端部から縦方向Ｘの全長の１〜１５％の長さまでの領域である。このように、ウエスト部Ｗ１にウエスト弾性部材３４がその弾性伸縮性が発現される状態で配されていることにより、ウエスト開口部ＷＨの開口縁部には、その全周にわたって実質的に連続した環状のウエストギャザーが形成される。
【００２４】
また、腹側部Ａ及び背側部Ｃそれぞれにおける、ウエスト部Ｗ１と股下部１Ｂとの間に位置する胴周り部Ｗ２には、複数本の胴周りギャザー形成用の胴周り弾性部材３５が横方向Ｙに伸長状態で配されている。本実施形態においては、胴周り弾性部材３５は図２及び図３に示すように、外装体３における少なくとも吸収性本体２の両側縁２Ｓ，２Ｓよりも横方向Ｙの外方に位置する部位においては、弾性伸縮性が発現されるように伸長状態で配されているが、外装体３における吸収性本体２の配置領域（平面視において吸収性本体２と重なる領域）においては、分断されるなどして伸縮性が阻害されており、弾性伸縮性が発現される状態では配されていない。
【００２５】
以上の各弾性部材３３，３４，３５は、何れも外装体３を構成する外層シート３１と内層シート３２との間に接着剤等の接合手段により挟持固定されている。各弾性部材３３，３４，３５としては、天然ゴム、ポリウレタン系樹脂、発泡ウレタン系樹脂、ホットメルト系伸縮部材等の伸縮性素材を糸状（糸ゴム）又は帯状（平ゴム）に形成したものが好ましく用いられる。
【００２６】
本実施形態のおむつ１の主たる特徴の１つとして、図１及び図２に示すように、胴周り部Ｗ２に配された複数の胴周り弾性部材３５が、白色の弾性部材３５０と、少なくとも１種類の非白色の弾性部材３５１とを含んでおり、且つ非白色の弾性部材３５１が、吸収性本体２と縦方向Ｘにおいて重なる位置に配され且つ吸収性本体２の縦方向両側縁２Ｓ，２Ｓから横方向Ｙの外方に延出し、その非白色の弾性部材３５１の延出部が肌対向面側即ち内面側（表面シート２１及び内層シート３２側）から目視可能になされている点が挙げられる。図１及び図２において、点線で示した胴周り弾性部材３５のうち、相対的に細い点線が白色の弾性部材３５０、相対的に太い点線が非白色の弾性部材３５１である。ここでいう「吸収性本体と縦方向において重なる位置」は、「吸収性本体２と同位置」（平面視において吸収性本体２と重なる位置）と「吸収性本体２の横方向Ｙの外方位置」（平面視において吸収性本体２と重ならない位置）とを含む。非白色の弾性部材３５１は、吸収性本体２の側縁２Ｓからの延出部という形態で、少なくとも「吸収性本体２の横方向Ｙの外方位置」に存している。
【００２７】
図１及び図２に示すように、本実施形態においては、非白色の弾性部材３５１は、腹側部１Ａ及び背側部１Ｃの両方に複数（３本）配されており、何れも吸収性本体２の両側縁２Ｓ，２Ｓから横方向Ｙの外方に延出している。また本実施形態においては、非白色の弾性部材３５１は、吸収性本体２の縦方向Ｘの外方位置には配されていない。尤も、吸収性本体２と縦方向Ｘにおいて重なる位置に非白色の弾性部材３５１が少なくとも１本配されていれば、他の非白色の弾性部材３５１が吸収性本体２の縦方向Ｘの外方位置に配されていても構わない。
【００２８】
非白色の弾性部材３５１のおむつ１の肌対向面側からの目視可能性を一層高める観点から、弾性部材３５１よりも着用者の肌に近い側に配されて弾性部材３５１を覆う部材、本実施形態においては内層シート３２、外層シート３１の延出部３１ＡＥ，３１ＣＥは、光透過性を有し且つ弾性部材３５１の色とは異なる色であることが好ましい。この種のおむつにおいては通常、外装体を構成するシートとして白色の不織布が用いられるところ、内層シート３２及び外層シート３１が通常おむつで使用される白色の不織布の場合には、特に問題なく内層シート３２を介して非白色の弾性部材３５１を目視で確認することができる。
【００２９】
このように、胴周り弾性部材３５として一般的な白色の弾性部材３５０に加えて非白色の弾性部材３５１が存在し、且つ非白色の弾性部材３５１の、吸収性本体２からの横方向Ｙの外方への延出部が肌対向面側から目視可能になされていることにより、おむつ１の肌対向面側に吸収パッドを装着する際に、その横方向Ｙに延びる非白色の弾性部材３５１の延出部が、吸収パッドの縦方向Ｘにおける位置合わせの目印として機能するため、吸収パッドの位置決め操作をスムースに行うことができ、そのため、吸収パッドの位置ズレに起因する着用中の違和感や漏れなどの不都合を起こさずに、吸収パッドの併用による効果が十分に得られるようになる。特におむつ１は、非白色の弾性部材３５１が肌対向面側から目視可能になされていることから、おむつ１の着用者が自ら吸収パッドを装着する際にその装着操作をスムースに行い得る。即ち、おむつ１の着用者が自ら吸収パッドを装着する場合には通常、レッグ開口部ＬＨ，ＬＨに両足を挿入しておむつ１を膝の高さ程度まで引き上げておき、その状態のおむつ１の内部即ち肌対向面側（表面シート２側）を、両足で拡げられた状態のウエスト開口部ＷＨを介して目視で確認しつつ、前身頃１Ｆ側から吸収パッドをおむつ１の内部に入れて位置決め操作を行うところ、斯かる位置決め操作において着用者はウエスト開口部ＷＨを介して非白色の弾性部材３５１を目視確認できるため、その非白色の弾性部材３５１を頼りに吸収パッドの位置決めをスムースに行うことができる。
【００３０】
尚、非白色の弾性部材３５１がおむつ１の非肌対向面側即ち外面側（外層シート３１側）から目視可能であるか否かは、本実施形態においては重要ではない。前述した通り、非白色の弾性部材３５１は、おむつ１の内面側を目視で確認しつつ該内面側に吸収パッドを装着する際の目印として活用するものであり、おむつ１の外面側から非白色の弾性部材３５１が目視で確認できなくても、吸収パッドの装着操作には何等問題が生じないからである。おむつ１の外面側から非白色の弾性部材３５１が目視可能になされている場合には、おむつ１の外観の向上などの利点が奏され得る。非白色の弾性部材３５１よりも着用者の肌から遠い側に配されて該弾性部材３５１を覆う部材、本実施形態においては外層シート３１が通常おむつで使用される白色の不織布の場合には、おむつ１の外部から外層シート３１を介して該弾性部材３５１を目視で確認することができる。
【００３１】
前述したような、おむつの着用者自らが吸収パッドを装着する場合における位置決め操作の操作性の向上を考慮すると、少なくとも前身頃１Ｆにおける着用者の胴周りに対応する部位（腹側部１Ａ）に、非白色の弾性部材３５１が配されていることが好ましい。おむつ１の着用者が自ら吸収パッドを装着する場合には、前述した通り、おむつ１のレッグ開口部ＬＨ，ＬＨに両足を挿入して着用者の股間部より下方位置に留まるようにおむつ１を両足で支持しておき、その状態で着用者が顔を下に向けておむつ１のウエスト開口部ＷＨを介してその内部を目視で確認するところ、斯かる目視確認の態様においてウエスト開口部ＷＨを通じて特に見えやすい部位が前身頃１Ｆであるためである。尚、前身頃１Ｆ及び後身頃１Ｒのうちのどちらか一方のみに非白色の弾性部材３５１が配されている形態は、おむつの前後方向を判別しやすいという利点がある。
【００３２】
本実施形態においては、前身頃１Ｆのみならず後身頃１Ｒにも、その着用者の胴周りに対応する部位（背側部１Ｃ）に非白色の弾性部材３５１が配されているため、後身頃１Ｒにおいても非白色の弾性部材３５１を頼りに吸収パッドの位置決めをスムースに行うことができる。一般に、吸収パッドの装着を着用者自身ではなく第三者（例えば着用者の介護者）が行う場合には、着用者の股間部より下方位置にて該着用者の両足で支持された状態のおむつに対し、その後身頃側から吸収パッドをおむつ内部に入れる場合が多く、その場合、本実施形態のおむつ１のように、後身頃１Ｒの背側部１Ｃに非白色の弾性部材３５１が配されていると、その非白色の弾性部材３５１を目印として縦方向の位置合わせを容易に行うことが可能となる。
【００３３】
前身頃１Ｆ又は後身頃１Ｒにおいて、吸収性本体２（本体延長領域２Ｖ）から横方向Ｙの外方に延出している非白色の弾性部材３５１は、互いに色の異なる２種類以上とすることができる。例えば図２において、腹側部１Ａには横方向Ｙに延びる３本の非白色の弾性部材３５１が配されているが、これら３本を互いに同色とせずに異なる色としても良い。具体的には例えば、縦中心線Ｃｌｘに近い側から順に、緑色、青色、赤色という具合である。そうすることで、例えば、大きさ（縦方向Ｘの長さ）の異なる複数種の吸収パッドを使い分けるような場合に、各吸収パッドの大きさに応じて適切な非白色の弾性部材３５１を選択し、その選択した色の弾性部材３５１を該吸収パッドの位置決めに使用することが可能となり、様々な吸収パッドに対応することが可能となる。
【００３４】
また、本実施形態のように前身頃１Ｆ及び後身頃１Ｒの両方に非白色の弾性部材３５１が配されている場合に、前身頃１Ｆと後身頃１Ｒとで、非白色の弾性部材３５１の色が異なっていても良い。ここでいう「色が異なる」には、前身頃１Ｆ及び後身頃１Ｒそれぞれに非白色の弾性部材３５１が複数配されている場合に、１）前身頃１Ｆと後身頃１Ｒとで全ての非白色の弾性部材３５１の色が互いに異なる形態のみならず、２）前身頃１Ｆと後身頃１Ｒとで一部の非白色の弾性部材３５１の色のみが互いに異なる形態も含まれる。前記１）は例えば、前身頃１Ｆの複数の非白色の弾性部材３５１が全て青色、後身頃１Ｒの複数の非白色の弾性部材３５１が全て緑色の形態であり、前記２）は例えば、前身頃１Ｆに非白色の弾性部材３５１として赤色、青色、緑色の３種類の弾性部材が配され、後身頃１Ｒに非白色の弾性部材３５１として青色の１種類の弾性部材が配された形態である。前身頃１Ｆと後身頃１Ｒとで、非白色の弾性部材３５１の色が異なっていると、おむつの前後の判別方向の判別が一層容易になり、吸収パッドの装着操作性の向上に繋がり得る。
【００３５】
また、非白色の弾性部材３５１は、白色の弾性部材３５０に比して太くても良い。それによって、非白色の弾性部材３５１の目視による視認性が一層高まり、吸収パッドの装着操作性の向上に繋がり得る。尚、非白色の弾性部材３５１の色は特に制限されず、赤色、青色、緑色などの単色の他、２色以上の色からなる色分け模様を有していても良い。
【００３６】
以上、本発明をその好ましい実施形態に基づき説明したが、本発明は前記実施形態に制限されない。例えば、前記実施形態においては、非白色の弾性部材３５１は、前身頃１Ｆ及び後身頃１Ｒの両方に配されていたが、前身頃１Ｆ及び後身頃１Ｒの何れか一方のみに配されていても良い。また前記実施形態においては、胴周り弾性部材３５（３５０，３５１）は吸収性本体２の配置領域において分断されるなどして伸縮性が阻害されていたが、そのような伸縮性阻害加工が施されず、外装体３の横方向Ｙの一端から他端にわたって即ち一対のサイドシール部Ｓ，Ｓ間にわたって横方向Ｙに連続的に延びていても良い。また前記実施形態においては、外装体３を構成する外層シート３１及び内層シート３２は、それぞれ、１枚の連続したシートから構成されていたが、複数枚のシートが組み合わされて構成されていても良い。また、外装体３が、腹側部１Ａに位置する外装体腹側領域と背側部１Ｃに位置する外装体背側領域とに分割され、吸収性本体２が、該外装体腹側領域及び該外装体背側領域に架け渡して固定されていても良い。また、本発明の吸収性物品は、パンツ型使い捨ておむつに制限されず、人体から排出される液の吸収に用いられる物品を広く包含し、展開型使い捨ておむつ、生理用ショーツ等も包含される。
【符号の説明】
【００３７】
１  パンツ型使い捨ておむつ（吸収性物品）
１Ｆ  前身頃
１Ｒ  後身頃
１Ａ  腹側部
１Ｂ  股下部
１Ｃ  背側部
Ｗ１  ウエスト部
Ｗ２  胴周り部
２  吸収性本体
２１  表面シート
２２  裏面シート
２３  吸収体
２４  防漏カフ
３  外装体
３１  外層シート
３２  内層シート
３３  レッグ弾性部材
３４  ウエスト弾性部材
３５  胴周り弾性部材
３５０  白色の弾性部材
３５１  非白色の弾性部材
Ｘ  縦方向
Ｙ  横方向
【図１】
2020093177.tif 000003
【図２】
2020093177.tif 000004
【図３】
2020093177.tif 000005